(57)【要約】【課題】  背凭れ部を座部の上部に重ねてベッドとして使用し得るようにし、座部から後方への突出寸法を最小限とする。【解決手段】  左右両側部が脚２により支持されたフレーム３に座部４を固設し、座部４の後端に、背凭れ部５を、座部４の後方位置において起立する起立位置と、前面が座部４の上面と当接するとともに、後面がほぼ水平をなす倒伏位置との間を回動可能に設ける。【選択図】  図６
2005204795.tif 000002
【特許請求の範囲】
【請求項１】
左右両側部を少なくとも１対の脚により支持されたフレームに座部を固設し、該座部の後端に、背凭れ部を、座部の後方において起立する起立位置と、前面が座部の上面と当接するとともに、後面がほぼ水平をなす倒伏位置との間を回動し得るように設けたことを特徴とするソファー兼用ベッド。
【請求項２】
背凭れ部の起立位置での上下寸法を、座部の前後寸法よりも大とした請求項１に記載のソファー兼用ベッド。
【請求項３】
座部と背凭れ部の左右の側面に、回動アームの両端部を回動可能に枢着することにより、座部の後端に背凭れ部を回動可能に設けた請求項１または２に記載のソファー兼用ベッド。
【請求項４】
背凭れ部を起立位置と倒伏位置とに保持するロック手段を設けた請求項１ないし３のいずれかに記載のソファー兼用ベッド。
【請求項５】
背凭れ部の後面に、人体固定用のバンドを設けた請求項１ないし４のいずれかに記載のソファー兼用ベッド。
【請求項６】
背凭れ部の側面に、該背凭れ部を倒伏位置としたとき、運搬用ハンドルの下端部が着脱可能に嵌合される嵌合部を設けた請求項１ないし５のいずれかに記載のソファー兼用ベッド。
【請求項７】
座部の内部に、後端が開口する収納凹部を設け、この収納凹部に運搬用ハンドルを収納した請求項６に記載のソファー兼用ベッド。
【請求項８】
左右の脚の下端にキャスタを設けた請求項１ないし７のいずれかに記載のソファー兼用ベッド。
【発明の詳細な説明】
【技術分野】
【０００１】
本発明は、背凭れ部を倒伏させて簡易ベッドとし得るようにしたソファー兼用ベッドに関する。
【背景技術】
【０００２】
この種の従来のソファー兼用ベッドとしては、例えば特許文献１に記載されているように、座部の後部に、ヒンジにより起立位置と倒伏位置とに回動可能に背凭れ部を取付けるとともに、座部と背凭れとの間に該背凭れを起立位置に保持するための支持部材を設けたものがある
【０００３】
【特許文献１】登録実用新案公報第３０５８６６９号
【発明の開示】
【発明が解決しようとする課題】
【０００４】
上記特許文献に記載されている従来のソファー兼用ベッドにおいては、背凭れ部を倒伏位置に回動させると、座部の後方に大きく突出するため、ベッドとして使用したり、保管や運搬したりする際に、大きな設置スペースや保管スペース等を要することになる。
【０００５】
また、ソファーからベッド又はベッドからソファーに変更するためには、支持部材の一端部を座部又は背凭れ部に固定している固定ボルトを、その都度取外したり締付けたりしなければならず、その作業が面倒であり、急病人等をベッドに変更して迅速に載せられない問題もある。
【０００６】
本発明は、上記問題点を解決するためになされたもので、背凭れ部を座部の上部に重ねてベッドとして使用し得るようにすることにより、座部から後方への突出寸法を最小限とし、設置スペースや保管スペース等を小さくできるとともに、背凭れ部を簡単に水平として、急病人等を迅速に載せて運送し得るようにしたソファー兼用ベッドを提供することを目的とする。
【課題を解決するための手段】
【０００７】
上記課題を解決するために、本発明の請求項１に記載のソファー兼用ベッドは、左右両側部を少なくとも１対の脚により支持されたフレームに座部を固設し、該座部の後端に、背凭れ部を、座部の後方において起立する起立位置と、前面が座部の上面と当接するとともに、後面がほぼ水平をなす倒伏位置との間を回動し得るように設けたことを特徴としている。
この特徴によれば、背凭れ部を倒伏位置まで回動させることにより、ベッドとして使用可能となり、かつ従来のように背凭れ部が座部の後方に大きく突出しないので、設置スペースや保管スペースを小さくできる。
また、ベッドとして使用する際の前後寸法が小さくなるので、病人等を載せて狭い通路等を容易に搬送することができる。
【０００８】
本発明の請求項２に記載のソファー兼用ベッドは、請求項１に記載のソファー兼用ベッドであって、背凭れ部の起立位置での上下寸法を、座部の前後寸法よりも大としたことを特徴としている。
この特徴によれば、ソファーとして使用する際の座り心地がよくなるとともに、背凭れ部を倒伏させてベッドとして使用する際の前後寸法が座部より大となるので、病人等を安定して寝かせることができる。
【０００９】
本発明の請求項３に記載のソファー兼用ベッドは、請求項１または２に記載のソファー兼用ベッドであって、座部と背凭れ部の左右の側面に、回動アームの両端部を回動可能に枢着することにより、座部の後端に背凭れ部を回動可能に設けたことを特徴としている。
この特徴によれば、背凭れ部を、起立位置と倒伏位置とに簡単かつ速やかに回動し得るので、急病人等を迅速に載せて搬送することができる。
【００１０】
本発明の請求項４に記載のソファー兼用ベッドは、請求項１ないし３のいずれかに記載のソファー兼用ベッドであって、背凭れ部を起立位置と倒伏位置とに保持するロック手段を設けたことを特徴としている。
この特徴によれば、背凭れ部が妄りに倒伏位置に回動する恐れはなく、かつ背凭れ部が倒伏位置に保持されるので、病人等を安定して寝かせたり、搬送したりすることができる。
【００１１】
本発明の請求項５に記載のソファー兼用ベッドは、請求項１ないし４のいずれかに記載のソファー兼用ベッドであって、背凭れ部の後面に、人体固定用のバンドを設けたことを特徴としている。
この特徴によれば、ベッドとして使用する際に、病人等をバンドにより固定して安全に搬送することができる。
【００１２】
本発明の請求項６に記載のソファー兼用ベッドは、請求項１ないし５のいずれかに記載のソファー兼用ベッドであって、背凭れ部の側面に、該背凭れ部を倒伏位置としたとき、運搬用ハンドルの下端部が着脱可能に嵌合される嵌合部を設けたことを特徴としている。
この特徴によれば、ベッドとして使用する際に、運搬用ハンドルを嵌合部に嵌合して容易に搬送することができる。
【００１３】
本発明の請求項７に記載のソファー兼用ベッドは、請求項６に記載のソファー兼用ベッドであって、座部の内部に、後端が開口する収納凹部を設け、この収納凹部に運搬用ハンドルを収納したことを特徴としている。
この特徴によれば、収納凹部に収納した運搬用ハンドルを取出して、嵌合部に速やかに装着し、病人等を迅速に搬送することができる。
【００１４】
本発明の請求項８に記載のソファー兼用ベッドは、請求項１ないし７のいずれかに記載のソファー兼用ベッドであって、左右の脚の下端にキャスタを設けたことを特徴としている。
この特徴によれば、ベッドとして使用する際に、病人等を少人数で容易に搬送することができる。
【発明を実施するための最良の形態】
【００１５】
以下、本発明の実施形態を図面に基づいて説明する。
図１は、本発明のソファー兼用ベッドを、ソファーとして用いる際の斜視図、図２は、同じくベッドとして用いる際の斜視図である。
【００１６】
ソファー兼用ベッド１は、図３の正面図及び図４の側面図にも示すように、左右の両側端部に前後２本ずつの脚２が取付けられた横長の矩形枠状をなすフレーム３と、その上部に固設された座部４と、この座部４の後方において起立する背凭れ部５とを備えている。
【００１７】
上記各脚２の下端には、ストッパ付きのキャスタ６が取付けられている。
背凭れ部５の上下寸法は、座部４の前後寸法よりも大とされ、かつ前面は前方に膨出する湾曲面に、後面はフラット面に、それぞれ形成されている。
【００１８】
背凭れ部５の後面には、ベッドとして使用する際に、病人等を固定するバンド７、７が、引出しかつ巻き取り可能に取付けられ、また上面には、背凭れ部５の回動操作を容易とするために、１対の把手８、８が取付けられている。
【００１９】
座部４の左右両側面の後端部に固着された扇状の支持プレート９の斜め前上方の角部には、側面視ほぼくの字状をなす回動アーム１０の下端が、左右方向を向く枢軸１１により前後方向に回動可能に枢着されている。また、上記枢軸１１には、逆Ｌ字形のロックプレート１２の基部が回動アーム１０と連動して回動し得るように固着されている。
【００２０】
ロックプレート１２の下向片の下端には、図５の横断平面図にも示すように、操作つまみ１３と一体をなす係止ピン１４と支持筒１５内において係止ピン１４を常時支持プレート９側に付勢する圧縮ばね１６からなる第１のロック手段１７が設けられ、ロックプレート１２より突出している係止ピン１４の先端部を、支持プレート９の下端部に穿設した係止孔１８と、それとほぼ９０°離間する上端部に穿設した係止孔１８とに選択的に係合することにより、ロックプレート１２は、ほぼ９０°回動した位置でロックし得るようになっている。
【００２１】
座部４の側面の前方寄りに形成された係合孔１９と、ロックプレート１２の前向片の前端に形成された係合孔２０とには、第２のロック手段、すなわち平面視内向コ字状のロックバー２１の両端部が着脱可能に嵌合されている。
【００２２】
ロックバー２１の後端部は、背凭れ部５を倒伏位置まで回動させたとき、その側面に形成された係合孔２２にも嵌合されるようになっている。（図６参照）また、左右の回動アーム１０の後端は、背凭れ部５の両側面の中央部に、左右方向を向く枢軸２３により回動可能に枢着されている。
【００２３】
これにより、背凭れ部５は、図４に示すように、座部４の後端に下部の前面が当接して起立する起立位置と、図６に示すように、座部４の枢軸１１を中心として前方に回動し、前面中央が座部４の上面と当接する倒伏位置との間を回動することができる。
【００２４】
倒伏位置において、上記のようにロックバー２１を係合孔２２に嵌合することにより、背凭れ部５の上面（後面）が水平となるように保持され、かつ背凭れ部５の上下寸法を座部４の前後寸法より大としているため、上面は座部４より広いベッド面となる。
【００２５】
背凭れ部５の両側面における回動アーム１０の両面には、倒伏位置において上下方向を向くとともに、上端が開口する有底の１対の嵌合部、すなわち嵌合筒２４、２４が固着されている。
【００２６】
この両嵌合筒２４には、図６に示すように、側面視Ｔ字状をなす運搬用ハンドル２５の２本の支杆２５ａの下端部が着脱可能に嵌合されるようになっている。すなわち、通常時において、ハンドル２５を座部４の内部に形成された、後端が開口する収納凹部２６内に収納しておき、非常時にそれを取出して速やかに嵌合筒２４に装着することにより、ソファー兼用ベッド１を容易に搬送することができる。
【００２７】
背凭れ部５の左右両端部の後方の隅部には、図６及び図７に示すように、倒伏位置において上下方向を向く有底の保持孔２７が形成され、この保持孔２７には、点滴容器等を吊支可能なスタンド２８が着脱可能に嵌合されるようになっている。なお、上記スタンド２８も、座部４の下面に設けた保持部材（図示略）に係止しておくことができる。
【００２８】
以上説明したソファー兼用ベッド１においては、背凭れ部５を前方に回動させて簡単に倒伏位置とし、その後面を水平なベッド面として病人等を載せることができるので、従来の後方に回動させるものに比べて前後寸法が小さく、非常時のストレッチャー代わりとして、狭い通路でも容易に搬送することができる。
【００２９】
また、背凭れ部５は、第１のロック手段１７と、第２のロック手段であるロックバー２１とにより、起立位置と倒伏位置とに安定的に保持されるので、特に倒伏位置において病人等を安定して寝かせて、安全に搬送することができる。
【００３０】
なお、上記第１のロック手段１７は省略することもできる。
【００３１】
以上、本発明の実施例を図面により説明してきたが、具体的な構成はこれら実施例に限られるものではなく、本発明の要旨を逸脱しない範囲における変更や追加があっても本発明に含まれる。
【図面の簡単な説明】
【００３２】
【図１】本発明のソファー兼用ベッドを、ソファーとして用いる際の斜視図である。
【図２】同じく、ベッドとして用いる際の斜視図である。
【図３】同じく、背凭れ部を起立位置としたときの正面図である。
【図４】同じく側面図である。
【図５】図４のＶ−Ｖ線の拡大横断平面図である。
【図６】背凭れ部を倒伏位置としたときの側面図である。
【図７】同じく平面図である。
【符号の説明】
【００３３】
１                ソファー兼用ベッド
２                脚
３                フレーム
４                座部
５                背凭れ部
６                キャスタ
７                バンド
８                把手
９                支持プレート
１０              回動アーム
１１              枢軸
１２              ロックプレート
１３              操作つまみ
１４              係止ピン
１５              支持筒
１６              圧縮ばね
１７              ロック手段
１８              係止孔
１９              係合孔
２０              係合孔
２１              ロックバー（ロック手段）
２２              係合孔
２３              枢軸
２４              嵌合筒（嵌合部）
２５              運搬用ハンドル
２５ａ            支杆
２６              収納凹部
２７              保持孔
２８              スタンド
【図１】
2005204795.tif 000003
【図２】
2005204795.tif 000004
【図３】
2005204795.tif 000005
【図４】
2005204795.tif 000006
【図５】
2005204795.tif 000007
【図６】
2005204795.tif 000008
【図７】
2005204795.tif 000009